(57)【要約】【課題】前面扉とミドル枠との間等からピアノ線等を挿入させて開閉式の始動口を無理矢理に解放させる不正行為を効果的に抑制・防止することが可能な遊技機を提供する。【解決手段】パチンコ機１は、遊技領域１６に、始動口２２と、その始動口２２へ入賞した遊技球が導かれたことに起因して開成する開閉式の非電動役物４２とが設けられており、それらの始動口２２あるいは非電動役物４２に遊技球が入賞した場合に、「大当たり抽選」の契機となる所定条件が充足されるように構成されている。また、非電動役物４２に、入球口３９へ入球した遊技球が導かれたことを検知するセンサが設けられており、そのセンサが、入球口３９への遊技球の入球から予め設定された所定の時間内に遊技球が導かれたことを検知した場合にのみ、非電動役物４２への入賞を契機とした「大当たり抽選」を実行するようになっている。【選択図】図２
2019181036.tif 000002
【特許請求の範囲】
【請求項１】
遊技領域に、特定の通過領域と、その特定通過領域を通過した遊技球が導かれたことに起因して開成する開閉式の役物装置とが設けられた遊技機であって、
前記特定通過領域に遊技球が通過したことを検知する通過検知手段と、
前記特定通過領域を通過した遊技球が前記役物装置まで導かれて到達したことを検知する到達検知手段と、
前記通過検知手段による遊技球通過の検知から、前記到達検知手段による遊技球誘導の検知までの時間を計測し、計測された時間が予め設定された所定の時間よりも長い場合に、異常発生と判断する異常制御手段とが設けられていることを特徴とする遊技機。
【請求項２】
前記役物装置が、
到達した遊技球を載置可能で、その遊技球の重力によって上下に回動する作動部材と、
上部を互いに近接・離反させるように回動可能な左右一対の開閉部材と、
それらの開閉部材と係合する係合体を有しており前記作動部材の回動と連動して回動する制御部材とを有するものであり、
前記作動部材に遊技球が載置されていない場合には、前記左右一対の開閉部材が前記制御部材の係合部と係合した状態を保つことによって閉成状態を保持し、
前記作動部材に遊技球が載置されると、作動部材の回動に伴って前記制御部材が回動し、前記左右一対の開閉部材と前記制御部材の係合部との係合状態が解除され、左右一対の開閉部材が上部を互いに離反させるように回動することによって開成することを特徴とする請求項１に記載の遊技機。
【請求項３】
前記作動部材に突出片が一体的に設けられているとともに、
その突出片と隣接した位置に、光信号の送受信を行う光学センサが設置されており、
前記作動部材上に遊技球が載置されると、前記突出片が前記光学センサによる光信号の送受信を遮断することによって、前記役物装置へ遊技球が導かれたことを検知することを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
遊技機の一種であるパチンコ機の中には、遊技盤面上に遊技球を入賞可能な始動口が設けられており、当該始動口へ遊技球が入賞したことを契機として内部抽選を実行し、その内部抽選の結果が、予め設定された所定の結果である場合には、遊技者にとって有利な特別遊技状態（所謂、「大当たり状態」等）を生起させるものが知られている。
【０００３】
かかるパチンコ機においては、基台全面に設けられた開閉可能な前面扉と遊技盤を固定する枠（所謂、ミドル枠）との隙間等からピアノ線等の細い針金を挿入させて、開閉式の始動口を無理矢理に開放させる不正行為（所謂、ピアノ線ゴト行為）が行われることがある。それゆえ、そのような不正行為を防止すべく、前面扉とミドル枠との間に弾性部材を介在させたパチンコ機が提案されている（特許文献１）。
【先行技術文献】
【特許文献】
【０００４】
【特許文献１】特開２００４−２７５２５７号公報
【発明の概要】
【発明が解決しようとする課題】
【０００５】
しかしながら、特許文献１の如く、開閉可能な前面扉とミドル枠との間に弾性部材を介在させたパチンコ機においても、弾性部材のない部分からピアノ線等が挿入され、開閉式の始動口が無理矢理に解放されてしまうこともある。また、前面扉の外周全体に亘ってピアノ線等の挿入を防止するための弾性部材を設置すると、前面扉が開けにくいものとなる、という不具合が生じてしまう。
【０００６】
本発明の目的は、上記従来のパチンコ機が有する課題を解消し、前面扉とミドル枠との間等からピアノ線等を挿入させて開閉式の始動口を無理矢理に解放させる不正行為を効果的に抑制・防止することが可能な遊技機を提供することにある。
【課題を解決するための手段】
【０００７】
かかる本発明のうち、請求項１に記載された発明は、遊技領域に、特定の通過領域と、その特定通過領域を通過した遊技球が導かれたことに起因して開成する開閉式の役物装置とが設けられた遊技機であって、前記特定通過領域に遊技球が通過したことを検知する通過検知手段と、前記特定通過領域を通過した遊技球が前記役物装置まで導かれて到達したことを検知する到達検知手段と、前記通過検知手段による遊技球通過の検知から、前記到達検知手段による遊技球誘導の検知までの時間を計測し、計測された時間が予め設定された所定の時間よりも長い場合に、異常発生と判断する異常制御手段とが設けられていることを特徴とするものである。
【０００８】
請求項２に記載された発明は、請求項１に記載された発明において、前記役物装置が、到達した遊技球を載置可能で、その遊技球の重力によって上下に回動する作動部材と、上部を互いに近接・離反させるように回動可能な左右一対の開閉部材と、それらの開閉部材と係合する係合体を有しており前記作動部材の回動と連動して回動する制御部材とを有するものであり、前記作動部材に遊技球が載置されていない場合には、前記左右一対の開閉部材が前記制御部材の係合部と係合した状態を保つことによって閉成状態を保持し、前記作動部材に遊技球が載置されると、作動部材の回動に伴って前記制御部材が回動し、前記左右一対の開閉部材と前記制御部材の係合部との係合状態が解除され、左右一対の開閉部材が上部を互いに離反させるように回動することによって開成することを特徴とするものである。
【０００９】
請求項３に記載された発明は、請求項１、または請求項２に記載された発明において、前記作動部材に突出片が一体的に設けられているとともに、その突出片と隣接した位置に、光信号の送受信を行う光学センサが設置されており、前記作動部材上に遊技球が載置されると、前記突出片が前記光学センサによる光信号の送受信を遮断することによって、前記役物装置へ遊技球が導かれたことを検知することを特徴とするものである。
【発明の効果】
【００１０】
請求項１に記載の遊技機は、役物装置（遊技球の入賞によって内部抽選を実行させる入賞装置の一つ）が予定されていないタイミングで開成した場合に、その事態を検知して異常発生と判断する（すなわち、不正行為があったものと判断する）ため、ピアノ線を遊技領域内に進入させて役物装置を無理矢理に開成させる不正行為（ピアノ線ゴト行為）を効果的に阻止することができる。
【００１１】
請求項２に記載の遊技機は、始動口に入賞した遊技球が役物装置まで導かれた場合に、作動部材と制御部材とが連動することによって左右一対の開閉部材を確実に開成させることができるので、不正行為が行われていないにも拘わらず左右一対の開閉部材が開成しない（すなわち、役物装置が開成しな）という作動エラーを高い精度で防止することができる。
【００１２】
請求項３に記載の遊技機は、予定されていないタイミングで役物装置が開成した場合に、その事態を確実に検知することができるので、ピアノ線ゴト行為をきわめて効果的に阻止することが可能となる。
【図面の簡単な説明】
【００１３】
【図１】パチンコ機を示す説明図（正面図）である。
【図２】遊技盤を示す説明図（正面図）である。
【図３】パチンコ機を示す説明図（背面図）である。
【図４】センター部材を示す説明図（前方斜視図）である。
【図５】センター部材を示す説明図（後方斜視図）である。
【図６】非電動役物（閉成した状態）を示す説明図である（ａは前方斜視図であり、ｂは後方斜視図である）。
【図７】非電動役物（閉成した状態）の内部を示す説明図である（ａは前方斜視図であり、ｂは後方斜視図である）。
【図８】非電動役物（開成した状態）を示す説明図である（ａは前方斜視図であり、ｂは後方斜視図である）。
【図９】非電動役物（開成した状態）の内部を示す説明図である（ａは前方斜視図であり、ｂは後方斜視図である）。
【発明を実施するための形態】
【００１４】
以下、本発明の遊技機の一実施形態であるパチンコ機について、図面に基づいて詳細に説明する。
【００１５】
＜パチンコ機の構造＞
図１は、パチンコ機１を前面側から示した説明図である。図２は、遊技盤２を前面側から示した説明図である。図３は、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、機枠３に左端縁を軸として片開き可能に蝶着されており、その前扉４によって閉塞される遊技盤２の前方空間が遊技領域１６とされている。
【００１６】
当該遊技領域１６は、遊技盤２の前面に円弧状に配設された外レール２３および内レール２４等によって囲まれており、遊技領域１６の左部における両レール２３、２４の間が遊技球を遊技領域１６内へ打ち込むための発射通路１３とされている。また、遊技領域１６の中央やや上寄りとなる位置には、「０」〜「９」の数字からなる装飾図柄やキャラクター等を表示するための演出用表示部６、演出用表示部６の下辺に沿って左右方向に延設されており、その上面を遊技球が左右に転動可能なステージ８１、および、遊技領域１６内を流下する遊技球をステージ８１上へ導くためのワープ通路８２等を有する表示部材８０が設置されている。さらに、表示部材８０の下方で遊技領域１６の中央部から下部にかけて、遊技球が進入可能な進入口３１、進入口３１から分岐しつつ下方へ延びる遊技球流路３２、種々の電動役物、および、遊技球が入賞可能な役物装置（遊技球が入賞すると内部抽選の契機となるである非電動役物４２、始動口２２、誘導路２７等を備えたセンター部材２６が設置されている。加えて、始動口２２の内部には、遊技球の通過（入賞）を検知するための入賞検知センサ（図示せず）が設けられている。
【００１７】
また、センター部材２６の下端際の中央には、遊技球が転動可能なステージ７７が設けられており、その中心に非電動役物４２の開口部１９が位置した状態になっている。そして、その開口部１９の右側には、特定通過領域である入球口３９が設けられており、ステージ７７上を転動した遊技球が通過（入球）可能になっている。さらに、入球口３９の下側には、入球口３９への遊技球の通過を検知するための通過検知手段である通過検知センサ４０が設置されている。加えて、入球口３９は、導球路（図示せず）によって非電動役物４２と連結されており、入球口３９へ入り込んだ遊技球が、非電動役物４２の後方側（後述する作動部材４３の設置位置）まで導かれるようになっている。
【００１８】
また、表示部材８０およびセンター部材２６の左方には、遊技球が流下可能で、遊技球が入賞可能な入賞部材８４，８４が設置された左打ち用スペースＳＬが形成されており、この左打ち用スペースＳＬを流下させることで、ワープ通路８２への進入（すなわち、ステージ８１上への誘導）や進入口３１への進入（すなわち、センター部材２６への進入）を効率良く狙えるようになっている。一方、表示部材８０およびセンター部材２６の右方にも遊技球が流下可能な右打ち用スペースＳＲが形成されている。この右打ち用スペースＳＲには、遊技球が通過可能なゲート部材２０、一対の可動片を有するチューリップ式電動役物１７、所謂「大当たり状態」において交互に開閉する２つの可動入賞装置１８Ａ，１８Ｂが設置されている。そして、遊技球を右打ち用スペースＳＲへ流下させることで、ゲート部材２０を通過させたり、開動作しているチューリップ式電動役物１７へ遊技球を入賞させたり、開成している可動入賞装置１８Ａ，１８Ｂへ遊技球を入賞させたりすることができるようになっている。なお、左打ち用スペースＳＬや右打ち用スペースＳＲには、多数の遊技釘が植設されている。また、遊技領域１６外となる遊技盤２の右下部には、第１特別図柄および第２特別図柄をそれぞれ別個に表示可能とした特別図柄表示部８３が設けられている。
【００１９】
また、機枠３の前面側であって上記遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、それぞれ機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。さらに、前扉４の上部には、効果音や各種メッセージ等を報音するそれぞれ一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００２０】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御基板や装置・部材に電源電圧を供給するための電源装置２９等が設置されている。また、機枠３の後面側の中央上部には、合成樹脂製のカバー状に形成されたセンターカバー２１が装着されており、当該センターカバー２１の内部には、遊技に係る主たる制御（たとえば、所謂「大当たり抽選」等）を実行するためのメイン制御装置６１、演出用表示部６における表示動作等を制御する表示制御装置６３、ランプ部材１５の点灯／点滅動作等を制御する発光制御装置６４、スピーカ１４からの報音動作を制御する音制御装置６５、および、表示制御装置６３や音制御装置６５等の動作を統合的に制御するサブ制御装置６２等が設置されている。なお、メイン制御装置６１は、後述するセンサ４８、非電動役物４２の入賞検知センサ（図示せず）、始動口２２の入賞検知センサ（図示せず）等とインターフェイスを介して接続されている。
【００２１】
＜パチンコ機の特徴部分の説明＞
図４、図５は、センター部材２６の一部を示したものであり、センター部材２６の外周フレーム４１の下部中央には、遊技球が入賞すると内部抽選（すなわち、「大当たり抽選」）の契機となる非電動役物４２が設置されている。図６は、非電動役物４２（外周フレーム４１から取り外した状態）を示したものであり、図７は、非電動役物４２の内部の機構を示したものである。非電動役物４２は、前端際の回転軸を中心として回動可能な作動部材４３、下端際が遊技盤２の盤面に対して垂直な軸を中心として回動可能に枢着された左右一対の開閉部材４５ａ，４５ｂ、作動部材４３と係合しており開閉部材４５ａ，４５ｂの開閉を制御する制御部材４６、組み付けられた作動部材４３および制御部材４６の外周を覆う左右のケース部材４７ａ，４７ｂ、作動部材４３まで遊技球が到達したこと（すなわち、非電動役物４２が開成したこと）を検知するための到達検知手段である開成検知センサ（光学センサ）４８、遊技球技球が入賞可能な筒状の開口部１９等によって構成されている（なお、図６においては、開口部１９の記載は省略されている）。
【００２２】
作動部材４３は、大径の円柱体５２と小径の円柱体５３とを連ねた形状の係合部と、前後に長尺な板状に形成された作動部とを有している。係合部の大径の円柱体５２および小径の円柱体５３の内部には、それぞれ、円柱状の錘５２ｃ，５２ｄが埋め込まれている。また、大径の円柱体５２ａの前側には、制御部材４６と係合する係合突起（係合体）５０が前方へ突出するように設けられている。一方、作動部の前端には、略筒状の軸支部５６が設けられており、その軸支部５６と係合部の大径の円柱体５２とが連結片５７によって一体的に連結された状態になっている。また、作動部の後端縁は、上向きに屈曲してガイド壁５８を形成しており、そのガイド壁５８の内側に、遊技球を載置可能な載置部５９が形成された状態になっている。さらに、載置部５９の右端縁には、検知片（突出片）６０が外側に突出するように一体的に設けられている。
【００２３】
また、制御部材４６は、左右の鉛直支持板７１ａ，７１ｂを略板状の連結体７２で連結した左右対称の形状を有しており、左右の鉛直支持板７１ａ，７１ｂには、それぞれ、略円柱状の上側支持突起７３および下側支持突起７４が外向きに突出するように設けられている。さらに、左右の鉛直支持板７１ａ，７１ｂの下端には、開閉部材４５の開閉を制御するための制御片７５が外向きに突出するように一体的に設けられている。
【００２４】
一方、開閉部材４５ａ，４５ｂは、所謂、チューリップ状開閉扉として機能する本体部９１が、略一定幅（前後幅）の扁平な半円柱状に形成されており、その本体部９１の背面に、円柱状の作動突起９２が後方へ突出するように設けられている。なお、左右の開閉部材４５ａ，４５ｂは、対称な形状を有している。また、各開閉部材４５ａ，４５ｂの中央よりやや下側には、軸挿通孔９３が前後に貫通するように設けられており、各開閉部材４５ａ，４５ｂの外端縁際には、錘９４が埋め込まれている。
【００２５】
また、左右のケース部材４７ａ，４７ｂは、透明な合成樹脂によって形成されており、内側に、作動部材４３および制御部材４６を収納するための凹部３４が形成されている。さらに、ケース部材４７ａ，４７ｂの上部後方には、作動部材４３の載置部５９を露出させるための開口部３５が形成されている。また、ケース部材４７ａ，４７ｂの前端際には、制御部材４６の上側支持突起７３を遊嵌するための鉛直方向に長い楕円状の遊嵌孔３６が穿設されており、その下側には、制御部材４６の下側支持突起７４を遊嵌するための遊嵌長孔３７が穿設されている。当該遊嵌長孔３７は、鉛直方向に長い楕円状部と略円弧状の屈曲部とを連ねた形状になっている。さらに、ケース部材４７ａ，４７ｂの各凹部３４，３４の内部には、作動部材４３の軸支部５６を軸支するための円筒状の支承部（図示せず）が設けられている。
【００２６】
また、右側のケース部材４７ｂの後端際には、中空直方体状の収納部３８が外向きに突出するように設けられており、当該収納部３８の内部には、発光部と受光部とを有する光学式の到達検知センサ４８が収納されている。また、収納部３８の上部には、スリット状の開口部３９が設けられており、当該開口部３９から、作動部材４３の検知片６０が、到達検知センサ４８の発光部と受光部との間に挿入可能になっている（すなわち、到達検知センサ４８をＯＮ・ＯＦＦ可能になっている）。
【００２７】
非電動役物４２は、左右のケース部材４７ａ，４７ｂの内部に作動部材４３および制御部材４６を収納した状態で、図示しないネジ等によって一体的に組み付けられている。そして、作動部材４３の軸支部５６が左右のケース部材４７ａ，４７ｂの円筒状の支承部（図示せず）に軸支されており、制御部材４６の上側支持突起７３，７３、下側支持突起７４，７４が、それぞれ、左右のケース部材４７ａ，４７ｂの遊嵌孔３６、遊嵌長孔３７に遊嵌された状態になっている。
【００２８】
そして、そのように一体的に組み付けられた非電動役物４２は、図４、図５の如く、左右一対の開閉部材４５ａ，４５ｂが、それぞれ、遊技球が入賞可能な筒状の開口部１９の左右に位置するように、センター部材２６の外周フレーム４１の下部中央にネジ等によって固着されている。さらに、そのように設置された非電動役物４２の前部では、開閉部材４５ａ，４５ｂが、軸装通孔９３を利用して外周フレーム４１に枢着されており、各開閉部材４５ａ，４５ｂの作動突起９２，９２が、制御部材４６の制御片７５，７５と係合した状態になっている（図７（ｂ）参照）。
【００２９】
また、図２の如く、センター部材２６の内部においては、始動口２２の下部と非電動役物４２とを繋ぐように、円筒状の導球路２７が設けられている。そして、始動口２２へ入賞した遊技球が、当該導球路２７の内部を流下して、非電動役物４２の作動部材４３の載置部５９の上側へ導かれるようになっている。
【００３０】
＜パチンコ機の遊技内容＞
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂、“左打ち”を行い）、センター部材２６の進入口３１への遊技球の進入（入賞）を狙う。
【００３１】
そして、始動口２２あるいは非電動役物４２（筒状の開口部１９）への遊技球の入賞検知に起因して、内部抽選（所謂、「大当たり抽選」）が実行され、その「大当たり抽選」の結果が「大当たり」になると、特別図柄表示部８３および演出用表示部６にそれぞれ所定の「大当たり図柄」が確定表示される（たとえば、演出用表示部６に「７、７」が表示される）。また、「大当たり図柄」が確定表示されると、可動入賞装置１８Ａ，１８Ｂをそれぞれ１回ずつ開成させる遊技状態（所謂、「大当たり状態」）が生起する。そこで、遊技者は、遊技球を右打ち用スペースＳＲへ打ち込んで流下させ（所謂、“右打ち”を行い）、開成する可動入賞装置１８Ａ，１８Ｂへの遊技球の入賞を狙う。
【００３２】
また、「大当たり状態」が終了すると、ゲート部材２０への遊技球の通過検知に起因して実行される所謂「当たり抽選」の結果が「当たり」となりやすく、チューリップ式電動役物１７が頻繁に開状態となって遊技球の入賞が可能となるとともに、チューリップ式電動役物１７への入賞検知に起因して実行される「大当たり抽選」の結果が「大当たり」となりやすい所謂「確変状態」が生起する。そこで、遊技者は右打ちを継続し、ゲート部材２０への遊技球の通過、および、頻繁に開状態となるチューリップ式電動役物１７への遊技球の入賞を狙う。また、チューリップ式電動役物１７への遊技球の入賞に応じて実行された「大当たり抽選」の結果が「大当たり」になると、特別図柄表示部８３および演出用表示部６に「大当たり図柄」が確定表示され、可動入賞装置１８Ａ，１８Ｂをそれぞれ１回ずつ開成させる「大当たり状態」が再び生起する。したがって、「大当たり状態」が生起した場合には、遊技者は、きわめて高い確率で多くの遊技球を獲得することが可能となる。
【００３３】
そして、上記「大当たり状態」の終了後に生起する「確変状態」の生起回数が所定回数（たとえば１０回）に達し、所定回数目の「確変状態」における「大当たり図柄」の確定表示に伴い生起した「大当たり状態」が終了すると、「確変状態」を生起させることなく、ゲート部材２０への遊技球の通過検知に起因して実行される「当たり抽選」の結果が「当たり」となりにくく（あるいは「当たり」とならず）、チューリップ式電動役物１７がほとんど開状態とならない（あるいは開状態になることがない）上、「大当たり抽選」の結果が「大当たり」となりにくい遊技開始当初の「通常状態」へ復帰する。そのため、遊技者は、右打ちを止めて左打ちを行う上記遊技へと戻る。
【００３４】
さらに、上記の如く、遊技球がセンター部材２６の進入口３１へ入賞すると、当該遊技球は、センター部材２６の内部で左右に振り分けられ、右側に振り分けられた遊技球の一部が、始動口２２へ入賞する。一方、左側に振り分けられた遊技球は、ステージ７７上を転動し、その一部が、入球口３９へ入り込む（入球する）。そして、入球口３９へ入球した遊技球は、導球路（図示せず）の内部を流下して、非電動役物４２の作動部材４３の載置部５９の上側へ導かれる（到達する）。作動部材４３は、大円柱体５２、小円柱体５３の内部に錘５４ａ，５４ｂが入っていることによって、後部が上向きに付勢されているが、そのように遊技球が載置部５９の上面に導かれて転動すると、その遊技球の荷重によって、作動部材４３の後部が前端際の回転軸（軸支部５６）を中心として下方へ回動するとともに、前方の係合突起５０が上方へに回動する。
【００３５】
そのように作動部材４３の係合突起５０が、回転軸（軸支部５６）を中心として上方へ回動すると、連結体７２によって係合突起５０と係合した制御部材４６が、上側支持突起７３を中心として、後部を上向きに回動させる。また、そのように制御部材４６の後部が上向きに回動する際には、 作動部材４３の係合突起５０の上方への回動に伴って、制御部材４６の上側支持突起７３，７３を、遊嵌孔３６内で下方から上方へ移動させるとともに、制御部材４６の下側支持突起７４，７４を、遊嵌長孔３７の鉛直な楕円状部分内で下方から上方へ移動させた後に略円弧状の屈曲部内を移動させることによって、制御部材４６の後部の回動が可能となる。
【００３６】
そして、上記の如く、制御部材４６の後部が上向きに回動すると、制御部材４６の制動片７５，７５と左右の開閉部材４５ａ，４５ｂとの係合状態が解除されるため、各開閉部材４５ａ，４５ｂが、下端の軸挿通孔９３の穿設部分を中心として、上部を離反させるように回動することによって、非電動役物４２が開成する（図８、図９参照）。なお、各開閉部材４５ａ，４５ｂは、通常、閉じた状態になっているが、そのように各開閉部材４５ａ，４５ｂが閉じた状態であっても、筒状の開口部１９内に遊技球が入賞可能になっている。
【００３７】
上記の如く、非電動役物４２が開成状態となると、筒状の開口部１９内に入賞しなかった遊技球であっても、拡がった開閉部材４５ａ，４５ｂの上部に載置されれば、筒状の開口部１９の側部の孔（図示せず）から非電動役物４２へ入賞することが可能になる。そして、非電動役物４２に入賞すると（開口部１９の上部あるいは側部から入賞すると）、非電動役物４２の内部に設置された入賞検知センサの開口部１９の下側に設けられた入賞検知センサ３０によって、その入賞が検知され、上記の如き「大当たり抽選」を実行する。
【００３８】
したがって、遊技球が入球口３９に入賞すると、結果的に、開閉部材４５ａ，４５ｂが開成するため（非電動役物４２が開成するため）、遊技球が非電動役物４２に入賞しやすくなり、メイン制御装置６１での内部抽選の回数が多くなる可能性が増大する。
【００３９】
一方、遊技球が入球口３９へ入り込んで、その入球が通過権検知センサ４０によって検知されると、メイン制御装置６１内でタイマ（図示せず）が予め設定された時間（「許容時間」）にセットされる。また、入球口３９へ入球した遊技球が非電動役物４２まで導かれて、作動部材４３の後部が下方へ回動すると、作動部材４３の検知片６０が、収納部３８内に設置された到達検知センサ４８の発光部と受光部との間に挿入されて、遊技球が非電動役物４２まで到達したことを検知する。そのようにセンサ４８が遊技球の非電動役物４２までの到達を検知すると、（結果的に）開閉部材４５ａ，４５ｂが開成したものとして、所定の開成検知信号がメイン制御装置６１へ送信される。
【００４０】
メイン制御装置６１は、到達検知センサ４８から開成検知信号を受けると、その開成検知信号の受信が上記した「許容時間」内であるか否かを判断し、「許容時間」内であると判断した場合には、他の部材や装置に制御信号を送信せず、非電動役物４２への遊技球の入賞を契機として「大当たり抽選」を実行する。一方、メイン制御装置６１は、到達検知センサ４８からの開成検知信号の受信が「許容時間」外であると判断した場合、あるいは、タイマ（図示せず）が起動してない状態で到達検知センサ４８から開成検知信号を受信したと判断した場合には、不正行為が行われたことによって非電動役物４２の作動部材４３が動かされたものと判断し、その後の非電動役物４２への遊技球の入賞を無効にして「大当たり抽選」を実行しないように制御するとともに、演出表示部６の液晶画面に、不正行為が行われた可能性がある旨を表示し、外部へ不正警報信号を出力する。
【００４１】
＜パチンコ機の効果＞
パチンコ機１は、上記の如く、特定通過領域である入球口３９に遊技球が入球したこと（すなわち、特定通過領域を遊技球が通過したこと）を検知する通過検知手段である通過検知センサ４０と、入球口３９を通過した遊技球が非電動役物４２まで到達したことを検知する到達検知手段である到達検知センサ４８と、通過検知センサ４０による遊技球通過の検知から、到達検知センサ４８による遊技球誘導（到達）の検知までの時間を計測し、計測された時間が予め設定された所定の時間よりも長い場合に、異常発生と判断する異常制御手段であるメイン制御装置６１とが設けられている。すなわち、パチンコ機１は、予定されていないタイミングで非電動役物４２が開成した場合に、その事態を検知して異常発生と判断する（すなわち、不正行為があったものと判断する）ため、ピアノ線を遊技領域内に進入させて非電動役物４２を無理矢理に開成させる不正行為（ピアノ線ゴト行為）を効果的に阻止することができる。
【００４２】
また、パチンコ機１は、非電動役物４２が、到達した遊技球を載置可能で、その遊技球の重力によって上下に回動する作動部材４３と、上部を互いに近接・離反させるように回動可能な左右一対の開閉部材４５ａ，４５ｂと、それらの開閉部材４５ａ，４５ｂと係合する係合突起５０を有しており作動部材４３の回動と連動して回動する制御部材４６とを有するものであり、作動部材４３に遊技球が載置されていない場合には、左右一対の開閉部材４５ａ，４５ｂが制御部材４６の係合突起５０と係合した状態を保つことによって閉成状態を保持し、作動部材４３に遊技球が載置されると、作動部材４３の回動に伴って制御部材４６が回動し、左右一対の開閉部材４５ａ，４５ｂと制御部材４６の係合突起５０との係合状態が解除され、左右一対の開閉部材４５ａ，４５ｂが上部を互いに離反させるように回動することによって開成するものである。したがって、パチンコ機１は、始動口２２に入賞した遊技球が非電動役物４２まで流下した場合に、作動部材４３と制御部材４６とが連動することによって左右一対の開閉部材４５ａ，４５ｂを確実に開成させることができるので、不正行為が行われていないにも拘わらず左右一対の開閉部材４５ａ，４５ｂが開成しないという作動エラーを高い精度で防止することができる。
【００４３】
さらに、パチンコ機１は、作動部材４３に検出片６０が一体的に設けられているとともに、その検知片６０と隣接した位置に、光信号の送受信を行う光学式のセンサ４８が設置されており、作動部材４３上に遊技球が載置されると、検知片６０がセンサ４８による光信号の送受信を遮断することによって、非電動役物４２へ遊技球が導かれたことを検知するため、予定されていないタイミングで非電動役物４２が開成した場合に、その事態を確実に検知することができるので、ピアノ線ゴト行為をきわめて効果的に阻止することができる。
【００４４】
加えて、パチンコ機１は、制御部材４６の上側支持突起７３を遊嵌するための遊嵌孔３６が鉛直方向に長い楕円状に形成されているとともに、制御部材の下側支持突起７４を遊嵌するための遊嵌長孔３７が、鉛直方向に長い楕円状部と略円弧状の屈曲部とを連ねた形状になっており、非電動役物４２まで遊技球が流下して作動部材４３の載置部５９に遊技球が載ったことを契機として、制御部材４６の上側支持突起７３，７３を遊嵌孔３６内で下方から上方へ移動させ、制御部材４６の下側支持突起７４，７４を遊嵌長孔３７の鉛直な楕円状部分内で下方から上方へ移動させた後に略円弧状の屈曲部内を移動させることによって、制御部材４６の回動を可能とする。したがって、パチンコ機１によれば、ピアノ線を遊技領域内に進入させて制御部材４６を無理矢理に回動させて非電動役物４２を開成させる不正行為をも効果的に阻止することができる。
【００４５】
＜遊技機の変更例＞
なお、本発明に係る遊技機の構成は、上記実施形態の構成に何ら限定されるものではなく、非電動役物（作動部材、制御部材、センサ）、始動口、誘導路等の形状、構造等の構成や、「大当たり状態」の生起時の作動内容等の遊技内容等を、本発明の趣旨を逸脱しない範囲で必要に応じて適宜変更することができる。
【００４６】
たとえば、本発明に係る遊技機は、上記実施形態の如く、特定領域を通過した遊技球が役物装置（非電動役物）まで導かれたことを検知するセンサが役物装置に一体的に設けられたものに限定されず、特定領域を通過した遊技球が役物装置まで導かれたことを検知するセンサと役物装置とが別々に設けられたものでも良い。また、特定領域を通過した遊技球が役物装置まで導かれたことを検知するセンサは、上記実施形態の如く、光学式のものに限定されず、遊技球の通過に伴って閉じた電気回路（あるいは開いた電気回路）を形成する接触式のセンサ等に変更することも可能である。
【００４７】
また、本発明に係る遊技機は、上記実施形態の如く、メイン制御装置が異常制御手段として機能するものに限定されず、サブ制御装置等のメイン制御装置以外の制御装置が異常制御手段として機能するものや、メイン制御装置以外の制御装置とメイン制御装置とが協働して異常制御手段として機能するもの等に変更することも可能である。たとえば、本発明に係る遊技機は、通過検知手段による特定通過領域の遊技球通過の検知および到達検知手段による役物装置までの遊技球到達の検知をメイン制御装置側にて実行し、特定通過領域の遊技球通過から役物装置までの遊技球到達の時間計測および異常事態発生の有無の判断をサブ制御装置側にて実行するもの等とすることも可能である。加えて、本発明に係る遊技機は、上記実施形態の如く、異常を検知した場合に以降の役物装置への遊技球の入賞を無効にして内部抽選を実行しないように制御するものに限定されず、異常を検知した場合に単にその事態を報知するもの（たとえば、演出表示部において異常事態の発生を表示するものや異常事態発生の検知信号をホールコンピュータ等に送信するもの）等に変更することも可能である。
【００４８】
なお、特許請求の範囲、明細書および図面に記載される全ての要素（たとえば、非電動役物（作動部材、制御部材、センサ）、始動口、誘導路等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００４９】
１・・パチンコ機（遊技機）
１６・・遊技領域
１８Ａ，１８Ｂ・・可動式入賞装置
３９・・入球口（特定領域）
４０・・通過検知センサ（通過検知手段）
４２・・非電動役物（役物装置）
４３・・作動部材
４６・・制御部材
４８・・到達検知センサ（到達検知手段）
５０・・係合突起（係合体）
６０・・検知片（突出片）
【図１】
2019181036.tif 000003
【図２】
2019181036.tif 000004
【図３】
2019181036.tif 000005
【図４】
2019181036.tif 000006
【図５】
2019181036.tif 000007
【図６】
2019181036.tif 000008
【図７】
2019181036.tif 000009
【図８】
2019181036.tif 000010
【図９】
2019181036.tif 000011